【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
ワイヤレス通信を管理するための方法であって、
カバレッジ内モバイルデバイスによって、カバレッジ外モバイルデバイスからのピア発見メッセージを受信すること、前記カバレッジ内モバイルデバイスは、基地局のカバレッジ内のモバイルデバイスであり、前記カバレッジ外モバイルデバイスは、前記基地局のカバレッジの外にあるかまたはカバレッジの外にあると予測されるモバイルデバイスであり、前記ピア発見メッセージは、前記カバレッジ外モバイルデバイスによって要求される中継サービスのタイプまたはサービスのタイプのインジケーションを備える、と、
前記ピア発見メッセージに応じて、前記カバレッジ内モバイルデバイスによって、中継ステータスに移行すると決定すること、前記中継ステータスは、前記カバレッジ内モバイルデバイスと通信状態にある前記基地局と、前記カバレッジ外モバイルデバイスとの間の中継デバイスとして機能する前記カバレッジ内モバイルデバイスの能力を示す、と、
前記カバレッジ内モバイルデバイスによって、中継ステータスへの前記移行および前記カバレッジ外モバイルデバイスからの前記ピア発見メッセージに少なくとも部分的に基づいて、前記カバレッジ外モバイルデバイスに中継能力信号を送信すること、前記中継能力信号は、前記カバレッジ内モバイルデバイスの前記中継ステータスを示す、と
を備える、方法。
【請求項２】
前記カバレッジ内モバイルデバイスの利用可能な動作電力がしきい値を超えると決定することと、
前記カバレッジ内モバイルデバイスの前記利用可能な動作電力が前記しきい値を超えるとの前記決定に少なくとも部分的に基づいて、前記中継ステータスに移行すると決定することと
をさらに備える、請求項１に記載の方法。
【請求項３】
前記カバレッジ内モバイルデバイスの利用可能な送信帯域幅がしきい値を超えると決定することと、
前記カバレッジ内モバイルデバイスの前記利用可能な送信帯域幅が前記しきい値を超えるとの前記決定に少なくとも部分的に基づいて、前記中継ステータスに移行すると決定することと
をさらに備える、請求項１に記載の方法。
【請求項４】
前記カバレッジ外モバイルデバイスと直接リンクを確立することをさらに備える、
請求項１に記載の方法。
【請求項５】
前記カバレッジ外モバイルデバイスによって要求される前記サービスのタイプが前記基地局によって提供されるか、または前記中継サービスのタイプが前記カバレッジ内モバイルデバイスによってサポートされると、前記カバレッジ内モバイルデバイスによって決定することと、
前記カバレッジ外モバイルデバイスによって要求される前記サービスのタイプが前記基地局によって提供されるか、または前記中継サービスのタイプが前記カバレッジ内モバイルデバイスによってサポートされるとの前記決定に少なくとも部分的に基づいて、前記カバレッジ外モバイルデバイスと直接リンクを確立することと
をさらに備える、請求項１に記載の方法。
【請求項６】
前記基地局から送信を受信することと、
前記カバレッジ外モバイルデバイスに前記送信を再送信することと
をさらに備える、請求項１に記載の方法。
【請求項７】
前記カバレッジ外モバイルデバイスから送信を受信することと、
前記基地局に前記送信を再送信することと
をさらに備える、請求項１に記載の方法。
【請求項８】
前記基地局からデータを受信することと、
前記カバレッジ外モバイルデバイスに前記データを再送信することと
をさらに備える、請求項１に記載の方法。
【請求項９】
前記カバレッジ内モバイルデバイスが前記基地局のカバレッジエリア中にあると決定することと、
前記カバレッジ内モバイルデバイスによって、前記基地局と直接通信することと
をさらに備える、請求項１に記載の方法。
【請求項１０】
前記カバレッジ外モバイルデバイスが前記基地局からのカバレッジの外にあると決定することと、
前記カバレッジ外モバイルデバイスが前記基地局と間接的に通信するように、前記カバレッジ内モバイルデバイスによって、前記カバレッジ外モバイルデバイスと通信することと
をさらに備える、請求項１に記載の方法。
【請求項１１】
ワイヤレス通信を管理するためのモバイルデバイスであって、前記モバイルデバイスは、基地局のカバレッジ中にあり、
カバレッジ外モバイルデバイスからのピア発見メッセージを受信するための手段、前記カバレッジ外モバイルデバイスは、前記基地局のカバレッジの外にあるかまたはカバレッジの外にあると予測されるモバイルデバイスであり、前記ピア発見メッセージは、前記カバレッジ外モバイルデバイスによって要求される中継サービスのタイプまたはサービスのタイプのインジケーションを備える、と、
前記ピア発見メッセージに応じて、中継ステータスに移行すると決定するための手段、前記中継ステータスは、前記カバレッジ内モバイルデバイスと通信状態にある前記基地局と、前記カバレッジ外モバイルデバイスとの間の中継デバイスとして機能する前記カバレッジ内モバイルデバイスの能力を示す、と、
中継ステータスへの前記移行および前記カバレッジ外モバイルデバイスからの前記ピア発見メッセージに少なくとも部分的に基づいて、前記カバレッジ外モバイルデバイスに中継能力信号を送信するための手段、前記中継能力信号は、前記カバレッジ内モバイルデバイスの前記中継ステータスを示す、と
を備える、モバイルデバイス。
【請求項１２】
前記カバレッジ内モバイルデバイスの利用可能な動作電力がしきい値を超えると決定するための手段と、
前記カバレッジ内モバイルデバイスの前記利用可能な動作電力が前記しきい値を超えるとの前記決定に少なくとも部分的に基づいて、前記中継ステータスに移行すると決定するための手段と
をさらに備える、請求項１１に記載のカバレッジ内モバイルデバイス。
【請求項１３】
前記カバレッジ内モバイルデバイスの利用可能な送信帯域幅がしきい値を超えると決定するための手段と、
前記カバレッジ内モバイルデバイスの前記利用可能な送信帯域幅が前記しきい値を超えるとの前記決定に少なくとも部分的に基づいて、前記中継ステータスに移行すると決定するための手段と
をさらに備える、請求項１１に記載のカバレッジ内モバイルデバイス。
【請求項１４】
前記カバレッジ外モバイルデバイスと直接リンクを確立するための手段をさらに備える、
請求項１１に記載のカバレッジ内モバイルデバイス。
【請求項１５】
前記カバレッジ外モバイルデバイスによって要求される前記サービスのタイプが前記基地局によって提供されるか、または前記中継サービスのタイプが前記カバレッジ内モバイルデバイスによってサポートされると、前記カバレッジ内モバイルデバイスによって決定するための手段と、
前記カバレッジ外モバイルデバイスによって要求される前記サービスのタイプが前記基地局によって提供されるか、または前記中継サービスのタイプが前記カバレッジ内モバイルデバイスによってサポートされるとの前記決定に少なくとも部分的に基づいて、前記カバレッジ外モバイルデバイスと直接リンクを確立するための手段と
をさらに備える、請求項１１に記載のカバレッジ内モバイルデバイス。
【請求項１６】
前記基地局から送信を受信するための手段と、
前記カバレッジ外モバイルデバイスに前記送信を再送信するための手段と
をさらに備える、請求項１１に記載のカバレッジ内モバイルデバイス。
【請求項１７】
前記カバレッジ外モバイルデバイスから送信を受信するための手段と、
前記基地局に前記送信を再送信するための手段と
をさらに備える、請求項１１に記載のカバレッジ内モバイルデバイス。
【請求項１８】
前記基地局からデータを受信するための手段と、
前記カバレッジ外モバイルデバイスに前記データを再送信するための手段と
をさらに備える、請求項１１に記載のカバレッジ内モバイルデバイス。
【請求項１９】
前記カバレッジ内モバイルデバイスが前記基地局のカバレッジエリア中にあると決定するための手段と、
前記カバレッジ内モバイルデバイスによって、前記基地局と直接通信するための手段と
をさらに備える、請求項１１に記載のカバレッジ内モバイルデバイス。
【請求項２０】
前記カバレッジ外モバイルデバイスが前記基地局からのカバレッジの外にあると決定するための手段と、
前記カバレッジ外モバイルデバイスが前記基地局と間接的に通信するように、前記カバレッジ外モバイルデバイスと通信するための手段と
をさらに備える、請求項１１に記載のカバレッジ内モバイルデバイス。
【請求項２１】
ワイヤレス通信を管理するためのモバイルデバイスであって、
プロセッサと、
前記プロセッサと電子通信状態にあるメモリと、
前記メモリに記憶された命令と
を備え、前記命令は、前記プロセッサが、
基地局のカバレッジにある間に、カバレッジ外モバイルデバイスからのピア発見メッセージを受信すること、前記カバレッジ外モバイルデバイスは、前記基地局のカバレッジの外にあるかまたはカバレッジの外にあると予測されるモバイルデバイスであり、前記ピア発見メッセージは、前記カバレッジ外モバイルデバイスによって要求される中継サービスのタイプまたはサービスのタイプのインジケーションを備える、と、
前記ピア発見メッセージに応じて、中継ステータスに移行すると決定すること、前記中継ステータスは、前記カバレッジ内モバイルデバイスと通信状態にある前記基地局と、前記カバレッジ外モバイルデバイスとの間の中継デバイスとして機能する前記カバレッジ内モバイルデバイスの能力を示す、と、
中継ステータスへの前記移行および前記カバレッジ外モバイルデバイスからの前記ピア発見メッセージに少なくとも部分的に基づいて、前記カバレッジ外モバイルデバイスに中継能力信号を送信すること、前記中継能力信号は、前記カバレッジ内モバイルデバイスの前記中継ステータスを示す、と
を行うように実行可能である、モバイルデバイス。
【請求項２２】
前記命令は、前記プロセッサが、
前記カバレッジ内モバイルデバイスの利用可能な動作電力がしきい値を超えると決定することと、
前記カバレッジ内モバイルデバイスの前記利用可能な動作電力が前記しきい値を超えるとの前記決定に少なくとも部分的に基づいて、前記中継ステータスに移行すると決定することと
を行うように実行可能である、請求項２１に記載のカバレッジ内モバイルデバイス。
【請求項２３】
前記命令は、前記プロセッサが、
前記カバレッジ内モバイルデバイスの利用可能な送信帯域幅がしきい値を超えると決定することと、
前記カバレッジ内モバイルデバイスの前記利用可能な送信帯域幅が前記しきい値を超えるとの前記決定に少なくとも部分的に基づいて、前記中継ステータスに移行すると決定することと
を行うように実行可能である、請求項２１に記載のカバレッジ内モバイルデバイス。
【請求項２４】
前記命令は、前記プロセッサが、
前記カバレッジ外モバイルデバイスと直接リンクを確立することを行うように実行可能である、
請求項２１に記載のカバレッジ内モバイルデバイス。
【請求項２５】
前記命令は、前記プロセッサが、
前記カバレッジ外モバイルデバイスによって要求される前記サービスのタイプが前記基地局によって提供されるか、または前記中継サービスのタイプが前記カバレッジ内モバイルデバイスによってサポートされると決定することと、
前記カバレッジ外モバイルデバイスによって要求される前記サービスのタイプが前記基地局によって提供されるか、または前記中継サービスのタイプが前記カバレッジ内モバイルデバイスによってサポートされるとの前記決定に少なくとも部分的に基づいて、前記カバレッジ外モバイルデバイスと直接リンクを確立することと
を行うように実行可能である、請求項２１に記載のカバレッジ内モバイルデバイス。
【請求項２６】
前記命令は、前記プロセッサが、
前記基地局からデータを受信することと、
前記カバレッジ外モバイルデバイスに前記データを再送信することと
を行うように実行可能である、請求項２１に記載のカバレッジ内モバイルデバイス。
【請求項２７】
前記命令は、前記プロセッサが、
前記カバレッジ内モバイルデバイスが前記基地局のカバレッジエリア中にあると決定することと、
前記基地局と直接通信することと
を行うように実行可能である、請求項２１に記載のカバレッジ内モバイルデバイス。
【請求項２８】
前記命令は、前記プロセッサが、
前記カバレッジ外モバイルデバイスが前記基地局からのカバレッジの外にあると決定することと、
前記カバレッジ外モバイルデバイスが前記基地局と間接的に通信するように、前記カバレッジ外モバイルデバイスと通信することと
を行うように実行可能である、請求項２１に記載のカバレッジ内モバイルデバイス。
【請求項２９】
ワイヤレス通信を管理するためのコンピュータプログラム製品であって、前記コンピュータプログラム製品は、命令を記憶する非一時的コンピュータ可読媒体を備え、前記命令は、プロセッサが、
基地局のカバレッジ内モバイルデバイスによって、カバレッジ外モバイルデバイスからのピア発見メッセージを受信すること、前記カバレッジ外モバイルデバイスは、前記基地局のカバレッジの外にあるかまたはカバレッジの外にあると予測されるモバイルデバイスであり、前記ピア発見メッセージは、前記カバレッジ外モバイルデバイスによって要求される中継サービスのタイプまたはサービスのタイプのインジケーションを備える、と、
前記ピア発見メッセージに応じて、前記カバレッジ内モバイルデバイスによって、中継ステータスに移行すると決定すること、前記中継ステータスは、前記カバレッジ内モバイルデバイスと通信状態にある前記基地局と、前記カバレッジ外モバイルデバイスとの間の中継デバイスとして機能する前記カバレッジ内モバイルデバイスの能力を示す、と
前記カバレッジ外モバイルデバイスによって、中継ステータスへの前記移行および前記カバレッジ外モバイルデバイスからの前記ピア発見メッセージに少なくとも部分的に基づいて、前記カバレッジ外モバイルデバイスに中継能力信号を送信すること、前記中継能力信号は、前記カバレッジ内モバイルデバイスの前記中継ステータスを示す、と
を行うように実行可能である、コンピュータプログラム製品。
【請求項３０】
前記命令は、前記プロセッサが、
前記カバレッジ内モバイルデバイスの利用可能な動作電力がしきい値を超えると決定することと、
前記カバレッジ内モバイルデバイスの前記利用可能な動作電力が前記しきい値を超えるとの前記決定に少なくとも部分的に基づいて、前記中継ステータスに移行すると決定することと
を行うように実行可能である、請求項２９に記載のコンピュータプログラム製品。
【請求項３１】
前記命令は、前記プロセッサが、
前記カバレッジ内モバイルデバイスの利用可能な送信帯域幅がしきい値を超えると決定することと、
前記カバレッジ内モバイルデバイスの前記利用可能な送信帯域幅が前記しきい値を超えるとの前記決定に少なくとも部分的に基づいて、前記中継ステータスに移行すると決定することと
を行うように実行可能である、請求項２９に記載のコンピュータプログラム製品。
【請求項３２】
前記命令は、前記プロセッサが、
前記カバレッジ外モバイルデバイスと直接リンクを確立することを行うように実行可能である、
請求項２９に記載のコンピュータプログラム製品。
【請求項３３】
前記命令は、前記プロセッサが、
前記カバレッジ外モバイルデバイスが前記基地局からのカバレッジの外にあると決定することと、
前記カバレッジ外モバイルデバイスが前記基地局と間接的に通信するように、前記カバレッジ外モバイルデバイスと通信することと
を行うように実行可能である、請求項２９に記載のコンピュータプログラム製品。
【請求項３４】
ワイヤレス通信を管理するための方法であって、
カバレッジ外モバイルデバイスによって要求される中継サービスのタイプまたはサービスのタイプのインジケーションを備えるピア発見メッセージを、前記カバレッジ外モバイルデバイスによって送信すること、ここにおいて、前記カバレッジ外モバイルデバイスは、基地局に関してカバレッジの外にあるかまたはカバレッジの外への移行を予測する、と、
前記ピア発見メッセージに応じて、前記カバレッジ外モバイルデバイスによって、前記基地局のカバレッジ中のモバイルデバイスからの中継能力メッセージを受信すること、前記中継能力メッセージは、前記カバレッジ外モバイルデバイスと、前記基地局との間の中継デバイスとして機能する前記カバレッジ内モバイルデバイスの能力を示す中継ステータスを備える、と、
前記中継能力メッセージに基づいて、前記カバレッジ外モバイルデバイスと前記基地局との間の通信のための中継デバイスとして前記カバレッジ内モバイルデバイスを使用するかどうかを決定することと
を備える、方法。
【請求項３５】
前記決定は、前記カバレッジ内モバイルデバイスの残りのバッテリ寿命に基づく、請求項３４に記載の方法。
【請求項３６】
前記ピア発見メッセージは、ブロードキャスト信号であり、前記中継能力メッセージは、ユニキャスト信号である、請求項３４に記載の方法。
【請求項３７】
モバイルデバイスにおいて、ワイヤレス通信を管理するための装置であって、
カバレッジ外状態で、前記モバイルデバイスによって要求される中継サービスのタイプまたはサービスのタイプのインジケーションを備えるピア発見メッセージを送信するための手段、前記カバレッジ外状態は、基地局に関してカバレッジ外であるかまたはカバレッジ外への移行を予測する前記モバイルデバイスに対応する、と、
前記ピア発見メッセージに応じて、前記基地局のカバレッジ中のモバイルデバイスからの中継能力メッセージを受信するための手段、前記中継能力メッセージは、前記カバレッジ外モバイルデバイスと、前記基地局との間の中継デバイスとして機能する前記カバレッジ内モバイルデバイスの能力を示す中継ステータスを備える、と、
前記中継能力メッセージに基づいて、前記カバレッジ外モバイルデバイスと前記基地局との間の通信のための中継デバイスとして前記カバレッジ内モバイルデバイスを使用するかどうかを決定するための手段と
を備える、装置。
【請求項３８】
前記決定は、前記カバレッジ内モバイルデバイスの残りのバッテリ寿命に基づく、請求項３７に記載のカバレッジ外モバイルデバイス。
【請求項３９】
前記ピア発見メッセージは、ブロードキャスト信号であり、前記中継能力メッセージは、ユニキャスト信号である、請求項３７に記載のカバレッジ外モバイルデバイス。
【請求項４０】
モバイルデバイスにおいて、ワイヤレス通信を管理するための装置であって、
プロセッサと、
前記プロセッサと電子通信状態にあるメモリと、
前記メモリに記憶された命令と
を備え、前記命令は、前記プロセッサが、
カバレッジ外状態にある間に、前記モバイルデバイスによって要求される中継サービスのタイプまたはサービスのタイプのインジケーションを備えるピア発見メッセージを送信すること、ここにおいて、カバレッジ外モバイルデバイスは、基地局に関してカバレッジ外であるかまたはカバレッジ外への移行を予測する、と、
前記ピア発見メッセージに応じて、前記カバレッジ外モバイルデバイスによって、前記基地局のカバレッジ中のモバイルデバイスからの中継能力メッセージを受信すること、前記中継能力メッセージは、前記カバレッジ外モバイルデバイスと、前記基地局との間の中継デバイスとして機能するカバレッジ内モバイルデバイスの能力を示す中継ステータスを備える、と、
前記中継能力メッセージに基づいて、前記カバレッジ外モバイルデバイスと前記基地局との間の通信のための中継デバイスとして前記カバレッジ内モバイルデバイスを使用するかどうかを決定することと
を行うように実行可能である、装置。
【請求項４１】
前記決定は、前記カバレッジ内モバイルデバイスの残りのバッテリ寿命に基づく、請求項４０に記載のカバレッジ外モバイルデバイス。
【請求項４２】
前記ピア発見メッセージは、ブロードキャスト信号であり、前記中継能力メッセージは、ユニキャスト信号である、請求項４０に記載のカバレッジ外モバイルデバイス。
【請求項４３】
モバイルデバイスにおいて、ワイヤレス通信を管理するためのコンピュータプログラム製品であって、前記コンピュータプログラム製品は、命令を記憶する非一時的コンピュータ可読媒体を備え、前記命令は、プロセッサが、
カバレッジ外状態にある間に、前記モバイルデバイスによって要求される中継サービスのタイプまたはサービスのタイプのインジケーションを備えるピア発見メッセージを送信すること、ここにおいて、前記カバレッジ外状態は、基地局に関してカバレッジ外であるかまたはカバレッジ外への移行を予測する前記モバイルデバイスに対応する、と、
前記ピア発見メッセージに応じて、前記カバレッジ外モバイルデバイスによって、前記基地局のカバレッジ中のモバイルデバイスからの中継能力メッセージを受信すること、前記中継能力メッセージは、前記カバレッジ外モバイルデバイスと、カバレッジ内モバイルデバイスと通信状態にある前記前記基地局との間の中継デバイスとして機能する前記カバレッジ内モバイルデバイスの能力を示す中継ステータスを備える、と、
前記中継能力メッセージに基づいて、前記カバレッジ外モバイルデバイスと前記基地局との間の通信のための中継デバイスとして前記カバレッジ内モバイルデバイスを使用するかどうかを決定することと
を行うように実行可能である、コンピュータプログラム製品。
【請求項４４】
前記決定は、前記カバレッジ内モバイルデバイスの残りのバッテリ寿命に基づく、請求項４３に記載のコンピュータプログラム製品。
【請求項４５】
前記ピア発見メッセージは、ブロードキャスト信号であり、前記中継能力メッセージは、ユニキャスト信号である、請求項４３に記載のコンピュータプログラム製品。